(57)【特許請求の範囲】
【請求項１】
振動篩、骨材貯蔵ビン、計量槽、及びミキサを有するアスファルト混合物を製造するアスファルトプラントのプラント本体側部に、特殊アスファルト混合物製造用に適合する網目の篩網を複数段に配設した振動篩、骨材貯蔵ビン、計量槽、及びミキサを有する特殊アスファルト混合物を製造する特殊混合物製造用プラントを並設すると共に、加熱骨材を搬送するバケットエレベータの排出シュートにアスファルトプラントのプラント本体の振動篩または特殊混合物製造用プラントの振動篩のいづれかに加熱骨材を切り替え供給する流路切り替えダンパーを配設し、かつアスファルトプラントのプラント本体の骨材貯蔵ビンには貯蔵する加熱骨材を特殊混合物製造用プラント側に抜き出して供給する骨材抜き取り供給手段を配設したことを特徴とするアスファルトプラント。
【発明の詳細な説明】
【０００１】
【発明の属する技術分野】
本発明は道路舗装材であるアスファルト混合物を製造するアスファルトプラントに関し、特に着色舗装、排水性舗装等の特殊アスファルト混合物の製造をも行えるアスファルトプラントに関する。
【０００２】
【従来の技術】
アスファルトプラントでは特殊用途に用いられる特殊アスファルト混合物、例えば、街なかの景観作りのために歩行者系道路に各種の色彩を持った着色舗装を施す着色舗装材や、舗装材の表面の雨水を透過させて滑り止め効果を高める排水性舗装材が製造されるようになってきた。
【０００３】
特殊アスファルト混合物は特殊な材料と特殊な粒度の骨材が使用される。例えば、着色舗装材は加熱アスファルト混合物にベンガラ等の顔料を添加したり、また加熱アスファルト混合物のアスファルトの代わりに石油樹脂（脱色バインダ）を使用したりして製造され、また骨材も特殊な粒度のものが採用される。
【０００４】
そこで本出願人は、特願平６−８４１４号に開示する如く、アスファルトプラントの側部に特殊混合物製造装置を並設し、該特殊混合物製造装置には顔料等の特殊材料を貯蔵する特殊材料貯蔵ビンを配設すると共に、アスファルトプラントの骨材貯蔵ビンに骨材抜き取り供給手段を配設し、骨材供給をアスファルトプラントの骨材貯蔵ビンから受けて特殊アスファルト混合物を製造可能としたアスファルトプラントを提案している。
【０００５】
【発明が解決しようとする課題】
しかしながら、最近では、このような特殊アスファルト混合物の需要が多くなり、しかもその種類も多様化してきている。そして特殊アスファルト混合物の多様化に伴って使用する骨材の粒度も多種類使用されるようになってきた。そのために、通常４室に区画したアスファルトプラントの骨材貯蔵ビンのみでは多種類の特殊用途用の骨材を一度に貯蔵することができないため、予め特殊粒度の骨材を所定割合にて混合し、この予備混合した骨材を骨材貯蔵ビンに供給して特殊アスファルト混合物製造用に使用するなどしているが、その対応に限度があり、また特殊アスファルト混合物製造後には普通（標準）のアスファルト混合物を製造するために特殊骨材を抜き取る必要もあって出荷作業の効率も悪くなっていた。
【０００６】
本発明は上記の点に鑑み、普通のアスファルト混合物も特殊アスファルト混合物も製造でき、更には多品種の特殊アスファルト混合物をも効率良く製造することのできるアスファルトプラントを提供することを目的とする。
【０００７】
【課題を解決するための手段】
本発明は上記の目的を達成するために、振動篩、骨材貯蔵ビン、計量槽、及びミキサを有するアスファルト混合物を製造するアスファルトプラントのプラント本体側部に、特殊アスファルト混合物製造用に適合する網目の篩網を複数段に配設した振動篩、骨材貯蔵ビン、計量槽、及びミキサを有する特殊アスファルト混合物を製造する特殊混合物製造用プラントを並設すると共に、加熱骨材を搬送するバケットエレベータの排出シュートにアスファルトプラントのプラント本体の振動篩または特殊混合物製造用プラントの振動篩のいづれかに加熱骨材を切り替え供給する流路切り替えダンパーを配設し、かつアスファルトプラントのプラント本体の骨材貯蔵ビンには貯蔵する加熱骨材を特殊混合物製造用プラント側に抜き出して供給する骨材抜き取り供給手段を配設したことを特徴としている。
【０００８】
【発明の実施の形態】
本発明のアスファルトプラントによれば、アスファルトプラントの本体側部に特殊アスファルト混合物製造用に適合する網目の篩網を複数段に配設した振動篩、骨材貯蔵ビン、計量槽、ミキサを備えた特殊混合物製造用プラントを配設しており、振動篩に供給される骨材を特殊アスファルト混合物製造用に適合するような網目の篩網にて篩い分けて粒度別に骨材貯蔵ビンに貯蔵しておく。
【０００９】
そして特殊アスファルト混合物の出荷要請があると、特殊混合物製造用プラントの骨材貯蔵ビンより配合に応じた所望の骨材を払い出して使用する。この時、アスファルトプラントのプラント本体の骨材貯蔵ビンに貯蔵する骨材も骨材抜き取り供給手段によって特殊混合物製造用プラント側に抜き取れることから、プラント本体の骨材貯蔵ビンと特殊混合物製造用プラントの骨材貯蔵ビンに貯蔵される多種類の骨材から使用する骨材を適宜選択でき、骨材種類の使用選択幅も増えて多品種のアスファルト混合物の製造に対応できる。
【００１０】
前記特殊混合物製造用プラント、アスファルトプラントの両骨材貯蔵ビンから取り出された骨材は所定量計量され、顔料等の特殊材料と共にミキサにて混練されて所望の特殊アスファルト混合物が製造されるのである。
【００１１】
【実施例】
以下、本発明の実施例を図面に基づいて説明する。
【００１２】
図中の１は公知のアスファルトプラントのプラント本体であって、普通のアスファルト混合物の製造を行うものであり、骨材加熱装置であるドライヤ２を備えている。ドライヤ２は、回転自在に傾斜支持したドラム３内にバーナ４より熱風を送り込み、その熱風を排気煙道５の下流の排風機（図示せず）により吸引してドラム３内を通過する高温ガス流を維持する一方、各種粒度別に骨材を貯蔵する骨材ホッパ（図示せず）から所定割合で骨材を払い出してコンベヤ６を介しドラム３内に供給し、ドラム３内の掻き上げ羽根によって骨材を掻き上げながら排出側に向けて転動流下させる間に所望の温度まで加熱している。
【００１３】
ドライヤ２から排出された加熱骨材はバケットエレベータ７によってプラント本体１の最上部まで持ち上げられ、粒度別に骨材を篩い分ける振動篩８に投入される。振動篩８の下位には骨材を粒度別に貯蔵する骨材貯蔵ビン９が配設されており、該骨材貯蔵ビン９は図２に示すようにビン内を適宜仕切って区画室１０ａ、１０ｂ、１０ｃ、１０ｄを形成し、振動篩８によって篩われた２．５ｍｍ以下の砂、及び２．５〜５ｍｍ、５〜１３ｍｍ、１３〜２５ｍｍの砕石をそれぞれの区画室に貯蔵するようにしている。
【００１４】
骨材貯蔵ビン９の下位には骨材を累積計量する骨材計量槽１１、石粉貯蔵ビン１２に貯蔵した石粉を計量する石粉計量槽１３及び溶融アスファルトを計量するアスファルト計量槽１４を配設している。これらの計量槽の下位には前記計量槽によって計量した各材料を混合するミキサ１５を配設している。
【００１５】
そして、前記プラント本体１の側部には特殊な材料を添加して特殊アスファルト混合物を製造する特殊混合物製造用プラント１６を配設している。
【００１６】
特殊混合物製造用プラント１６はプラント本体１とほぼ同様の構造をしており、バケットエレベータ７の排出シュートに配設した骨材の流路切り替えダンパー１７の操作により供給される加熱骨材を振動篩１８に受け入れる。この振動篩１８は特殊アスファルト混合物製造用に適合するような網目の篩網を複数段に配設しており、該振動篩１８によって篩い分けられた骨材は下位の複数の区画室を有した骨材貯蔵ビン１９に投入貯蔵される。この骨材貯蔵ビン１９は保温構造としておくことが好ましい。
【００１７】
骨材貯蔵ビン１９の下位には各種骨材や特殊材料を累積計量する計量槽２０を配設すると共に、石粉貯蔵ビン２１に貯蔵した石粉を計量する石粉計量槽２２及び溶融アスファルトを計量するアスファルト計量槽２３を配設している。
【００１８】
また、特殊合材製造用プラント１６には顔料や樹脂系材料等の特殊材料を貯蔵する特殊材料貯蔵槽２４ａ、２４ｂ・・・を適宜数備えている。例えば種々の色のカラー舗装材を製造するのであればその色数に応じた顔料を貯蔵できる本数の貯蔵槽が設置される。また、それに加えて樹脂系材料を使用する排水性舗装材等も製造するのであれば、使用する樹脂系材料等の種類数に応じた本数の貯蔵槽を備えることになる。なお、特殊材料は別途専用の計量槽を備えるようにしても良い。
【００１９】
２５は前記各計量槽２０、２２、２３の下位に設置した特殊アスファルト混合物製造用ミキサであって、プラント本体１のミキサ１５と同構造のものが採用される。
【００２０】
次に、プラント本体１の骨材貯蔵ビン９から加熱骨材を抜き取って特殊混合物製造用プラント１６側に供給する骨材抜き取り供給手段２６について説明する。
【００２１】
図２に示すように、骨材貯蔵ビン９の各区画室１０ａ、１０ｂ、１０ｃ、１０ｄから加熱骨材を抜き取るために、各区画室１０ａ、１０ｂ、１０ｃ、１０ｄの側壁の適宜位置を開口させて排出ゲート２７ａ、２７ｂ、２７ｃ、２７ｄを具備した排出シュート２８ａ、２８ｂ、２８ｃ、２８ｄを取り付ける。
【００２２】
そして排出シュート２８ａ、２８ｂ、２８ｃ、２８ｄを取り囲むようにして案内シュート２９を取り付け、該案内シュート２９の先端払出部が特殊混合物製造用プラント１６の骨材計量槽２０の上位に臨むようにする。案内シュート２９内は排出ゲート２７ａ、２７ｂ、２７ｃ、２７ｄから払い出された加熱骨材が互いに混ざらないように仕切り板３０によって仕切ってあり、案内シュート２９の先端部には払い出しゲート３１ａ、３１ｂ、３１ｃ、３１ｄを取り付けている。
【００２３】
また、図示していないが、案内シュート２９にはシュート内に溜る各種加熱骨材量を検出するためのレベル計を取り付けるようにしても良い。
【００２４】
しかして、アスファルトプラントにてアスファルト混合物を出荷する場合、普通のアスファルト混合物はプラント本体１側で製造する。そして特殊アスファルト混合物の出荷要求があれば、バケットエレベータ７の流路切り替えダンパー１７の操作により混合物製造用プラント１６側に加熱骨材を供給して特殊粒度別に骨材を貯蔵して出荷に対応する。
【００２５】
この混合物製造用プラント１６にて特殊アスファルト混合物の製造時には、使用する骨材は特殊混合物製造用プラント１６の骨材貯蔵ビン１９及びプラント本体１の骨材貯蔵ビン９に貯蔵される骨材から適宜選択することができる。例えば、プラント本体１の骨材貯蔵ビン９の区画数が４室、特殊混合物製造用プラント１６の骨材貯蔵ビン１９の区画数が４室であれば、そこに貯蔵される８種類の骨材の中から選択できる。
【００２６】
そしてプラント本体１側より加熱骨材の供給を受けるとすると、骨材貯蔵ビン９の所望の区画室１０ａ、１０ｂ、１０ｃ、１０ｄの排出ゲート２７ａ、２７ｂ、２７ｃ、２７ｄを開放して加熱骨材を案内シュート２９内に所定量払い出す。
【００２７】
レベル計を配設している場合にはレベル計の発する空満信号により案内シュート２９内の加熱骨材の貯留を制御すると便利である。
【００２８】
所定量の加熱骨材量を払い出すと排出ゲート２７ａ、２７ｂ、２７ｃ、２７ｄを閉塞する。次に案内シュート２９の払い出しゲート３１ａ、３１ｂ、３１ｃ、３１ｄを順次開放して計量槽２０内に加熱骨材を投入して所定量づつ累積計量する。また、特殊混合物製造用プラント１６の骨材貯蔵ビン１９からも加熱骨材を払い出すのであれば所定量払い出して累積計量する。
【００２９】
そして前記骨材計量槽２０にて加熱骨材の計量が完了すると、特殊材料貯蔵槽２４ａ、２４ｂ・・・より所望の特殊材料を計量槽２０内に払い出して計量し、計量したそれら材料をミキサ２５に投入する。また、石粉計量槽２２やアスファルト計量槽２３にて計量された石粉、アスファルトもミキサ２５内に順次投入し、ミキサ２５内で所定時間混合調整して所望の特殊アスファルト混合物を製造するのである。
【００３０】
このように、特殊混合物製造用プラント１６では特殊混合物製造用プラント１６の骨材貯蔵ビン１９内の特殊粒度の骨材、及びプラント本体１の骨材貯蔵ビン内の普通粒度の骨材を適宜選択使用してアスファルト混合物を製造できるので、多品種のアスファルト混合物の製造に効率良く対応できる。
【００３１】
なお、本発明は上述の特定の実施例に限定されるものではなく、例えば、骨材抜き取り供給手段２６として採用した案内シュート２９がプラント高さの関係で加熱骨材の流れる傾斜角度に確保できない時には排出ゲート２７ａ、２７ｂ、２７ｃ、２７ｄの下位に小容量の貯蔵ビンを設置して移送装置で特殊混合物用プラント１６側に移送するようにしても良い等、要はプラント本体１の骨材貯蔵ビン９にて貯蔵する加熱骨材を抜き出して特殊混合物用プラント１６側に供給できるような装置であれば良い。また、石粉貯蔵ビン２１への石粉供給はプラント本体１側の石粉エレベータ（図示せず）の排出シュートを分岐させて供給するなど装置の共有をはかると良い。
【００３２】
更に、特殊混合物製造用プラント１６の骨材貯蔵ビン１９への骨材供給はプラント本体１への骨材供給と同一経路としたが、特殊混合物製造用プラント１６専用のドライヤを使用するようにしても良い等本発明の要旨を逸脱しない範囲内において種々変更を加え得ることは勿論である。
【００３３】
【発明の効果】
以上のように本発明に係るアスファルトプラントにあっては、振動篩、骨材貯蔵ビン、計量槽、及びミキサを有するアスファルト混合物を製造するアスファルトプラントのプラント本体側部に、特殊アスファルト混合物製造用に適合する網目の篩網を複数段に配設した振動篩、骨材貯蔵ビン、計量槽、及びミキサを有する特殊アスファルト混合物を製造する特殊混合物製造用プラントを並設すると共に、加熱骨材を搬送するバケットエレベータの排出シュートにアスファルトプラントのプラント本体の振動篩または特殊混合物製造用プラントの振動篩のいづれかに加熱骨材を切り替え供給する流路切り替えダンパーを配設し、かつアスファルトプラントのプラント本体の骨材貯蔵ビンには貯蔵する加熱骨材を特殊混合物製造用プラント側に抜き出して供給する骨材抜き取り供給手段を配設したので、プラント本体では普通のアスファルト混合物を、特殊合材製造用プラントでは特殊アスファルト混合物をそれぞれ独自に出荷できるうえ、特殊混合物製造用プラントでは特殊混合物製造用プラントとプラント本体１の両骨材貯蔵ビン内に貯蔵する多種類の骨材の中から適宜選択使用してアスファルト混合物を製造でき、多品種のアスファルト混合物の製造に効率良く対応できる。
【図面の簡単な説明】
【図１】本発明の一実施例を示す一部切り欠き概略構成図である。
【図２】図１の要部の拡大斜視図である。
【符号の説明】
１…プラント本体                  ２…ドライヤ
７…バケットエレベータ            ９…骨材貯蔵ビン
１０ａ、１０ｂ、１０ｃ、１０ｄ…区画室
１５…ミキサ                    １６…特殊合材製造用プラント
１７…流路切り替えダンパー      １８…振動篩
１９…骨材貯蔵ビン              ２０…計量槽
２４ａ、２４ｂ…特殊材料貯蔵槽
２５…ミキサ                    ２６…骨材抜き取り供給手段
２７ａ、２７ｂ、２７ｃ、２７ｄ…排出ゲート
２９…案内シュート
３１ａ、３１ｂ、３１ｃ、３１ｄ…払い出しゲート
【図１】
0003851690.tif 000002
【図２】
0003851690.tif 000003